(57)【要約】本発明は、心肺蘇生術（ＣＰＲ）の訓練のための、胸部領域および頭部を備えるマネキンを提供する。マネキンは、それが頭部の喘ぎ運動を提供するための手段と、末期呼吸音をシミュレーションするための手段と、を備え、この手段は、末期呼吸のシミュレーションのための、前記手段を作動させるデバイスに動作可能に接続されるという点で、特徴的である。【選択図】図１
2013521526.tif 000002
【特許請求の範囲】
【請求項１】
心肺蘇生術（ＣＰＲ）の訓練のための、胸部領域および頭部を備えるマネキンであって、前記マネキンは、前記頭部の喘ぎ運動を提供するための手段と、末期呼吸音をシミュレーションするための手段と、を備え、前記手段は、末期呼吸のシミュレーションのための、前記手段を作動させるデバイスに動作可能に接続されることを特徴とする、マネキン。
【請求項２】
前記マネキンはまた、前記マネキンの少なくとも肩部領域の持ち上げのための手段を備える、請求項１に記載のマネキン。
【請求項３】
前記頭部の喘ぎ運動を提供するための前記手段は、顎の持ち上げおよび開放のための、顎に動作可能に配置される空気袋である、請求項１または２に記載のマネキン。
【請求項４】
少なくとも前記肩部領域の持ち上げのための前記手段は、前記肩部の下に配置される少なくとも１つの空気袋を備える、請求項２に記載のマネキン。
【請求項５】
末期呼吸の前記音をシミュレーションするための前記手段は、空気袋の膨張が電源スイッチを起動させるようにサウンドボックスにまたはその中に動作可能に配置される空気袋と、末期呼吸音を提供するための手段と、を備える、請求項１に記載のマネキン。
【請求項６】
末期呼吸の前記音をシミュレーションするための前記手段は、前記マネキンの頭部内に配置される、請求項１〜５のいずれか１項に記載のマネキン。
【請求項７】
末期呼吸の前記音をシミュレーションするための前記手段は、空気が吹き込まれるときに音を出す非電気のフルートデバイスである、請求項１に記載のマネキン。
【請求項８】
前記デバイスは、チューブを介して、顎に対して動作可能に配置される空気袋に、肩部を持ち上げるために配置される１つ以上の空気袋に、そして音の手段を起動させるための空気袋に接続されるベローズであり、前記ベローズの収縮が前記空気袋を膨張させて、これにより末期呼吸のシミュレーションのための前記手段を作動させる、請求項１に記載のマネキン。
【請求項９】
前記デバイスおよび前記手段は、末期呼吸を作動させかつシミュレーションするように動作可能に配置されることができる、空圧式、油圧式、電気式、および電気油圧式デバイスの中から選択される、請求項１に記載のマネキン。
【請求項１０】
前記デバイスは、無線手段によってまたは前記マネキンの内部に組み込まれる手段により任意に作動することができる電子的作動デバイスであり、前記デバイスは、前記頭部および／または顎を動かすための少なくとも１つのリニアアクチュエータ、および前記マネキンの前記肩部または上部ボディを持ち上げるための少なくとも１つのリニアアクチュエータに動作可能に接続していて、前記デバイスは、フラッシュメモリに格納された末期呼吸音を有するＭＰ３プレーヤのような末期呼吸の音をシミュレーションするための電子的手段に動作可能に接続している、請求項１、２または９に記載のマネキン。
【発明の詳細な説明】
【技術分野】
【０００１】
本発明は、健康および救命の応急処置に関する。特に、本発明は、末期呼吸のシミュレーションのための手段を有する訓練用マネキンに関する。
【背景技術】
【０００２】
末期呼吸は、不規則な休止が続く浅くて遅い（１分間に３〜４）不規則な吸気によって特徴的な呼吸の異常なパターンである。それはまた、変な発声およびミオクローヌス（ｍｙｃｏｌｏｎｕｓ）が付随する喘ぐ呼吸困難によって特徴づけられることもできる。状態が一般に完全な無呼吸および死の告知へと進行するにつれて、末期呼吸は、即時の治療を必要とする極めて深刻な医学的な徴候である。末期呼吸は、死の前の最後の呼吸である。
【０００３】
突然の心停止に対して傍観者は、その人が呼吸していることを意味するためにしばしば末期呼吸を誤解して、心肺蘇生術（ＣＰＲ）の開始を省略するかまたは遅延させる。非特許文献１において公表された最近の研究は、喘ぎまたは末期呼吸は、脳がまだ生きているという、そして犠牲者には生存するより高い可能性があるという徴候であると述べる。
【０００４】
末期呼吸の正しい解釈およびそれに対する反応の訓練は、ＣＰＲの成功率を著しく上昇させてよい。
【０００５】
現在、末期呼吸のシミュレーションのための手段を備える利用可能なＣＰＲ訓練のためのマネキンは、ない。本発明の目的は、したがって、末期呼吸に関してもまたより現実的な訓練が可能な訓練マネキンを提供することである。
【先行技術文献】
【非特許文献】
【０００６】
【非特許文献１】Ｃｉｒｃｕｌａｔｉｏｎ：  Ｊｏｕｒｎａｌ  ｏｆ  ｔｈｅ  Ａｍｅｒｉｃａｎ  Ｈｅａｒｔ  Ａｓｓｏｃｉａｔｉｏｎ
【発明の概要】
【課題を解決するための手段】
【０００７】
本発明は、心肺蘇生術（ＣＰＲ）の訓練のための、胸部領域および頭部を備えるマネキンを提供する。マネキンは、それが頭部の喘ぎ運動を提供するための手段と、末期呼吸音をシミュレーションするための手段と、を備え、この手段は、末期呼吸のシミュレーションのための、前記手段を作動させるデバイスに動作可能に接続されるという点で、特徴的である。
【０００８】
好ましくは、マネキンはまた、少なくとも肩部領域の持ち上げのための手段を備える。それはまた、末期呼吸の典型的徴候である。１つの好ましい実施形態において、少なくとも肩部領域の持ち上げのための手段は、肩部の下に配置される少なくとも１つの空気袋を備える。好ましくは、マネキンの各肩部の下に１つの空気袋が配置されるか、または、上部ボディ全体を持ち上げるために１つのより大きな空気袋が配置される。
【０００９】
頭部の喘ぎ運動を提供するための手段は、好ましくは、顎の持ち上げおよび開放のための、顎に動作可能に配置される空気袋またはリニアアクチュエータである。他の手段は、用いられることができる。顎が開放される間、頭部も好ましくは持ち上げられる。頭部の喘ぎ運動は、少なくとも顎または頭部の動き（例えば喘ぎ運動）を意味する。好ましくは、さらなる動きもまた、作動（例えば頭部および／または肩部および上部ボディ全体さえの持ち上げ）に誘発される。頭部の喘ぎ運動のための手段および末期呼吸音をシミュレーションするための手段は、２つの機能を提供する１つの手段でありえる。それは、本発明の実施形態であり、そして、空気を供給するかまたは引き出すための接続されたホースの入口にフルートを有するベローズによって例えば達成されることができる。
【００１０】
一実施形態において、末期呼吸音をシミュレーションするための手段は、空気袋の膨張が電源スイッチを起動させるようにサウンドボックスにまたはその中に動作可能に配置される空気袋と、末期呼吸音を提供するための手段と、を備える。好ましくは、末期呼吸音をシミュレーションするための手段が起動するときに、スピーカ、アンプおよび音源は、作動にセットされる。コストが主なパラメータであるときにより好ましくは、末期呼吸音をシミュレーションするための手段は、空気が吹き込まれるときに音を出す非電気のフルートデバイスである。現実的であるために、末期呼吸音をシミュレーションするための手段は、マネキンの頭部内に好ましくは配置される。
【００１１】
本発明の好ましいマネキンにおいて、低コストおよび信頼性が主な関心であるときに、作動デバイスは、チューブを介して、顎に対して動作可能に配置される空気袋に、肩部を持ち上げるために配置される１つ以上の空気袋に、そして音の手段を起動させるためのフルートまたは空気袋に接続されるベローズであり、ベローズの収縮が空気袋を膨張させて、およびフルートを吹いて、これにより末期呼吸のシミュレーションのための前記手段を作動させる。
【００１２】
デバイスおよび前記手段は、末期呼吸を作動させかつシミュレーションするように動作可能に配置されることができる、空圧式、油圧式、電気式、および電気油圧式デバイスまたは手段の中から自由に選択される。例えば、空気袋手段は、チューブを介して接続されるベローズ、小型コンプレッサまたは送風器のような空気作動手段によって膨張および収縮されることができる。
【００１３】
本発明によるマネキンにとって大きな現実性が設計パラメータを支配しているときに、デバイスは、無線手段によってまたはマネキンの内部に組み込まれる手段により任意に作動することができる電子的作動デバイスである。デバイスは、頭部および／または顎を動かすための少なくとも１つのリニアアクチュエータ、およびマネキンの肩部または上部ボディを持ち上げるための少なくとも１つのリニアアクチュエータに動作可能に接続していて、そして、デバイスは、フラッシュメモリに格納された末期呼吸音を有するＭＰ３プレーヤのような末期呼吸の音をシミュレーションするための電子的手段に動作可能に接続している。この種の実施形態のために、指導教員は、電子的に起動可能なデバイスと通信して近所の部屋から例えばコンピュータを有する手段を無線で作動させることができ、これにより、学生のための現実的な訓練シナリオを与えることができる。本発明のマネキンの好ましい実施形態において、末期呼吸のシミュレーションのための手段を作動させるデバイスは、マネキンの外側にあり、および／または前記手段の内部に組み込まれていて、それは例えば、末期呼吸のシミュレーションのためのマネキンの手段の各々に対して直接無線通信するコンピュータである。
【図面の簡単な説明】
【００１４】
本発明は、３つの図で例示される
【図１】図１は、本発明のマネキンの実施形態を例示する。
【図２】図２は、本発明のマネキンの実施形態を例示する。
【図３】図３は、本発明のマネキンのさらなる実施形態を例示する。
【発明を実施するための形態】
【００１５】
本発明のマネキン１を例示する図１を参照する。より詳しくは、マネキン１は、心臓マッサージおよび換気を適用することによる心肺蘇生術（ＣＰＲ）の訓練のために、胸部領域２および頭部３を備える。顎の持ち上げのための手段４、少なくとも肩部領域の持ち上げのための手段５、および末期呼吸音をシミュレーションするための手段６は、例示される。それらの手段は、末期呼吸のシミュレーションのために、前記手段を作動させるためのデバイス７に動作可能に接続される。
【００１６】
図示のマネキンは、末期呼吸のシミュレーションを提供するための空気手段を備えている。より詳しくは、顎の持ち上げのための手段４は、顎の下に動作可能に配置される空気袋を含む。少なくとも肩部領域の持ち上げのための手段５は、肩の下に配置される少なくとも１つの空気袋を含む。末期呼吸音をシミュレーションするための手段６は、末期呼吸音を出すことができる音響フルートを含む。末期呼吸のシミュレーションのための前記手段を作動させるデバイス７は、ベローズの収縮が前記空気袋を膨張させて、それと同時にフルートの音を出して、これにより、末期呼吸のシミュレーションのための前記手段を作動させるように配列される、前記空気袋およびフルートにチューブを介して接続されるベローズである。
【００１７】
本発明のマネキンのさらなる実施形態を例示する図２を参照する。そのために、空気袋７は、圧縮器空気チャージャ８と交換された。そして、フルート６は、スピーカ、アンプ、およびサウンドボックス内の空気袋を膨張させることによって起動して音を出す格納された音源を有するサウンドボックス９と交換された。他の全ての点において、図１および図２のマネキンは、同一である。
【００１８】
本発明のより高度なマネキンを例示する図３を参照する。この実施形態のために、頭部の喘ぎ運動を提供するための手段は、起動に応じて顎を持ち上げて開くように動作可能に配置されるリニアアクチュエータ１０であり、末期呼吸音をシミュレーションするための手段は、スピーカ１１である。それらの手段は、末期呼吸のシミュレーションのために、前記手段を作動させるための電子的に起動するデバイス１２に動作可能に接続される。このマネキンはまた、喘ぎ運動および末期呼吸音と同時にボディを持ち上げるための、デバイス１２に動作可能に配置されるリニアアクチュエータ１３を含む。物理的構成は、必ずしも図示するようであるというわけではない。例えば、デバイス１２に代えて、手段１０、１１、１３の各々の内部に組み込まれる無線制御可能な無線起動デバイスであることは、可能である。
【００１９】
本発明のマネキンは、本明細書に記載されてまたは例示されているように任意の特徴を含んでよい。有益な利点を提供するためにいかなる可能な組み合わせでもよく、この種の各組み合わせは本発明の実施形態である。
【図１】
2013521526.tif 000003
【図２】
2013521526.tif 000004
【図３】
2013521526.tif 000005
【国際調査報告】
2013521526.tif 000006
2013521526.tif 000007
2013521526.tif 000008